【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】  
ハウジング（３２）に収納された光記録装置（３０）であって、
前記光記録装置は、
アナログ信号を受信するサウンド受信手段（６６，６８，７０，７１，７３）と、
このサウンド受信手段に接続されて受信したアナログ信号をディジタルデータに変換するアナログ／ディジタルコンバータ（９２）と、
このアナログ／ディジタルコンバータに通信可能に結合されてアナログ／ディジタルコンバータからのディジタルデータを受信し、その受信したディジタルデータを記録する不揮発性データ記録装置（１０６）と、
このデータ記録装置に接続されて、データ記録装置からのディジタルデータを受信してアナログ信号に変換するディジタル／アナログコンバータ（１００）と、
このディジタル／アナログコンバータに接続されて、それからのアナログ信号を受信して出力するオーディオ出力構造（７６，７８，８０，８２）と、
前記データ記録装置に通信可能に結合されて、記録されたディジタルデータを前記データ記録装置から受信し、その受信されたディジタルデータを光記録媒体に記録する光記録ドライブ（５８）とを有し、
前記光記録装置は、前記オーディオ出力構造を介しての試聴のために引き続きアナログ信号に変換するため及び引き続き前記光記録ドライブによる前記光記録媒体への録音のため、アナログ信号を受信し、そのアナログ信号をディジタルデータに変換し、そのディジタルデータを前記データ記録装置に格納するように構成され、前記光記録装置は更に、前記データ記録装置に格納されたディジタルデータをそれが前記光記録媒体に記録される前に編集する手段を有することを特徴とする光記録装置。
【請求項２】
前記サウンド受信手段（７０，７１，７３）は、前記ハウジングに設けられたアナログ信号を受信するアナログライン入力ジャックを有し、前記アナログ／ディジタルコンバータ（９２）は、前記アナログライン入力ジャックに接続されてアナログライン入力ジャックに受信されたアナログ信号を、前記データ記録装置に記録するためにディジタルデータに変換するアナログ／ディジタルコンバータを備えていることを特徴とする請求項１記載の光記録装置。
【請求項３】
前記光記録ドライブ（５８）は、ＣＤ−Ｒ記録ドライブ及びＣＤ−ＲＷ記録ドライブのいずれかであることを特徴とする請求項１記載の光記録装置。
【請求項４】
前記光記録装置は更に、前記アナログ／ディジタルコンバータ（９２）に通信可能に結合されてそこからディジタルデータを受信する中央演算処理ユニット（９４）を有し、前記ディジタル／アナログコンバータ（１００）は、前記中央演算処理ユニットに接続されて、そこからディジタルデータを受信し、前記データ記録装置（１０６）は、前記中央演算処理ユニットに通信可能に結合されて中央演算処理装置からディジタルデータを受信し格納することを特徴とする請求項１記載の光記録装置。
【請求項５】
前記光記録ドライブ（５８）は前記中央演算処理ユニットに通信可能に結合されて前記データ記録装置（１０６）に格納されたディジタルデータを受信し、前記光記録ドライブに収容された光記録媒体にそのディジタルデータを記録するものであることを特徴とする請求項４記載の光記録装置。
【請求項６】
前記オーディオ出力構造（７６，７８，８０，８２）は、前記ハウジング(３２)上のアナログライン出力ジャックであることを特徴とする請求項５記載の光記録装置。
【請求項７】
ディスプレイ装置（４６）が前記中央演算処理ユニット（９４）に接続され、前記中央演算処理ユニット（９４）は、前記データ記録装置（１０６）に格納されたサウンドトラックに関して前記ディスプレイ装置上に情報を表示するように構成されていることを特徴とする請求項４記載の光記録装置。
【請求項８】
前記中央演算処理ユニットに通信可能に結合され、前記ディスプレイ装置に表示された情報を操作するための入力キー（４１，４３，４５，４７，４８，４９，５０，５１，５２，５３，５７，５９，６１，６３）が前記ハウジング上に設けられていることを特徴とする請求項７記載の光記録装置。
【請求項９】
前記中央演算処理ユニットは、少なくとも一つの入力キー（４１，４３，４５，４７，４８，４９，５０，５１，５２，５３，５７，５９，６１，６３）により、前記データ記録装置（１０６）に格納され且つ有効な全てのサウンドトラックのリストであるマスターソングリスト（２３４）及び、少なくとも一つの入力キーを用いて特定のセッションに予め選択されるサウンドトラックのグループのリストである少なくとも一つのセッションソングリスト（２２８）を選択的に前記ディスプレイ装置(４６)上に表示できるように構成されていることを特徴とする請求項８記載の光記録装置。
【請求項１０】
前記中央演算処理ユニット（９４）に通信可能に結合される入力キー（４１，４３，４５，４７，４９，５０）のセット（４８）が前記ハウジング(３２)上に設けられ、前期中央演算処理ユニット（９４）は、前記入力キーのセットにより前記データ記録装置（１０６）に格納されたサウンドトラックを操作できるように構成されていることを特徴とする請求項４記載の光記録装置。
【請求項１１】
前記中央演算処理ユニット（９４）に通信可能に結合される入力キー（４１，４３，４５，４７，４９，５０）のセット（４８）が前記ハウジング(３２)上に設けられ、前期中央演算処理ユニット（９４）は、前記入力キーのセットにより前記データ記録装置にサウンドトラックを選択的に記録できるように、また入力キーのセットにより前記データ記録装置に予め格納されたサウンドトラックに関して前記オーディオ出力構造（７６，７８，８０，８２）を介してアナログ信号を出力できるように構成されていることを特徴とする請求項５記載の光記録装置。
【請求項１２】
前記中央演算処理ユニット（９４）は、前記入力キー（４１，４３，４５，４７，４９）のセット（４８）により前記光記録ドライブ（５８）に収容された光記録媒体の再生を制御できるように構成されていることを特徴とする請求項１１記載の光記録装置。
【請求項１３】
前記中央演算処理ユニット（９４）は、前記入力キー（４１，４３，４５，４７，４９）の少なくとも一つにより前記データ記録装置（１０６）に格納された複数のサウンドトラックを結合して一つのサウンドトラックとして前記データ記録装置に格納できるように構成されていることを特徴とする請求項８記載の光記録装置。
【請求項１４】
前記中央演算処理ユニット（９４）は、前記入力キー（４１，４３，４５，４７，４９）の少なくとも一つにより前記データ記録装置（１０６）に格納された一つのサウンドトラックを分離して複数のサウンドトラックとして前記データ記録装置に格納できるように構成されていることを特徴とする請求項８記載の光記録装置。
【請求項１５】
前記中央演算処理ユニット（９４）は、前記入力キー（４１，４３，４５，４７，４９）の少なくとも一つにより前記データ記録装置（１０６）に格納されたサウンドトラックをトリミングできるように構成されていることを特徴とする請求項８記載の光記録装置。
【請求項１６】
前記中央演算処理ユニット（９４）は、前記入力キー（４１，４３，４５，４７，４９）の少なくとも一つにより前記データ記録装置（１０６）に格納されたサウンドトラックを変換して異なる振幅をもって前記データ記録装置に格納できるように構成されていることを特徴とする請求項８記載の光記録装置。
【請求項１７】
前記中央演算処理ユニット（９４）は、前記入力キー（４１，４３，４５，４７，４９）の少なくとも一つにより前記データ記録装置（１０６）に格納されたサウンドトラックを変換してフェイドイン、フェイドアウトの少なくとも一方をして前記データ記録装置に格納できるように構成されていることを特徴とする請求項８記載の光記録装置。
【請求項１８】
前記データ記録装置（１０６）は、ハードドライブを備えていることを特徴とする請求項１記載の光記録装置。
【請求項１９】  
ハウジングと、
オーディオ信号を受信するサウンド受信手段と、
コンパクトディスクに記録するコンパクトディスクレコーダと、
オーディオ信号を格納するためのハウジング内のデータ記録装置と、を備えたコンパクトディスク記録装置であって、
前記コンパクトディスク記録装置は、サウンドトラックのミュージックライブラリーが、そのデータ記録装置に格納され、
前記コンパクトディスク記録装置は、ミュージックライブラリーからサウンドトラックの一組を選択して、コンパクトディスクレコーダによってコンパクトディスクに記録される手段を含み、
前記ハウジングは、ミュージックライブラリーの少なくとも一つを特定する表示を含むことを特徴とするコンパクトディスク記録装置。
【請求項２０】
前記データ記録装置は、不揮発性であることを特徴とする請求項１９記載のコンパクトディスク記録装置。
【請求項２１】
前記データ記録装置は、磁気記録装置であることを特徴とする請求項１９記載のコンパクトディスク記録装置。
【請求項２２】
前記コンパクトディスク記録装置は、ハウジングにオーディオ出力構造を備え、データ記録装置に格納されているサウンドトラックが、オーディオ出力装置を通して選択的に演奏されるように構成されていることを特徴とする請求項１９記載のコンパクトディスク記録装置。
【請求項２３】
前記コンパクトディスク記録装置は、ハウジングにオーディオ出力構造を備え、データ記録装置に格納されているサウンドトラックが、サウンドトラックをコンパクトディスクに記録する必要がなく、オーディオ出力装置を通して選択的に演奏されるように構成されていることを特徴とする請求項１９記載のコンパクトディスク記録装置。
【請求項２４】
前記コンパクトディスク記録装置は、データ記録装置のサウンドトラックが、コンパクトディスクに記録される前に編集可能であることを特徴とする請求項１９記載のコンパクトディスク記録装置。
【請求項２５】
前記コンパクトディスク記録装置は、データ記録装置のサウンドトラックが、オーディオ出力構造を通して選択的に演奏される前に編集可能であることを特徴とする請求項２３記載のコンパクトディスク記録装置。
【請求項２６】
前記コンパクトディスク記録装置は、データ記録装置のサウンドトラックが、コンパクトディスクに記録されるとともに、オーディオ出力構造を通して選択的に演奏される前に編集可能であることを特徴とする請求項２３記載のコンパクトディスク記録装置。
【請求項２７】
コンパクトディスクに記録するサウンドトラックを選択する手段は、ハウジング内にあることを特徴とする請求項１９記載のコンパクトディスク記録装置。
【請求項２８】
そのハウジング内の手段は、オーディオ出力構造を通して演奏するサウンドトラックを選択することを特徴とする請求項２２記載のコンパクトディスク記録装置。
【請求項２９】
そのハウジング内の装置は、そのサウンドトラックを編集することを特徴とする請求項２４記載のコンパクトディスク記録装置。
【請求項３０】
そのハウジング内の装置は、そのサウンドトラックを編集することを特徴とする請求項２５記載のコンパクトディスク記録装置。
【請求項３１】
そのハウジング内の装置は、そのサウンドトラックを編集することを特徴とする請求項２６記載のコンパクトディスク記録装置。
【請求項３２】
ハウジングは、直線形状であることを特徴とする請求項１９記載のコンパクトディスク記録装置。